(57)【要約】【課題】操作方向が異なる操作装置を製造するための部品を共通化する。【解決手段】電子機器５０は、複数の操作箇所１４ａ〜１４ｄが設けられた操作部材１０と、複数の操作箇所１４ａ〜１４ｄにそれぞれ対応する複数の操作方向に傾動可能に操作部材１０が組み付けられ、かつ、操作部材１０が複数の異なる組付方向に組付け可能な操作部材ホルダ２０と、操作部材１０と操作部材ホルダ２０が複数の異なる組付方向のうちの所定の傾動制限組付方向に組み付けられたときに、複数の操作方向のうちの所定の傾動制限操作方向への操作部材１０の傾動を制限するストッパ２８とを有する。【選択図】  図１
2005011678.tif 000002
【特許請求の範囲】
【請求項１】
複数の操作箇所が設けられた操作部材と、
前記複数の操作箇所にそれぞれ対応する複数の操作方向に傾動可能に前記操作部材が組み付けられ、かつ、前記操作部材が複数の異なる組付方向に組付け可能な操作部材ホルダと、
前記操作部材と前記操作部材ホルダとが前記複数の異なる組付方向のうちの所定の傾動制限組付方向に組み付けられたときに、前記複数の操作方向のうちの所定の傾動制限操作方向への前記操作部材の傾動を制限する傾動制限手段と、
を有することを特徴とする電子機器。
【請求項２】
前記傾動制限手段は、前記操作部材と前記操作部材ホルダとが前記傾動制限組付方向と異なる傾動許容組付方向に組み付けられたときに前記傾動制限操作方向への前記操作部材の傾動を許容することを特徴とする請求項１に記載の電子機器。
【請求項３】
前記操作部材は軸を有し、前記軸からずれた位置の操作箇所が操作されたときに前記軸回りの回動により傾動可能であり、かつ、前記軸上に配置された操作箇所が操作されたときに前記軸の角度変化により傾動可能であり、
前記傾動制限手段は前記操作部材ホルダに設けられ、前記軸に当接して前記軸の角度変化による前記操作部材の傾動を制限することを特徴とする請求項１に記載の電子機器。
【請求項４】
前記操作部材は誤組防止のための非対称部分を有し、
前記傾動制限手段は、前記操作部材と前記操作部材ホルダが前記傾動制限組付方向に組み付けられたときに前記非対称部分に当接して、前記操作部材の前記傾動制限操作方向への傾動を制限する当接部を有することを特徴とする請求項１に記載の電子機器。
【請求項５】
複数の操作箇所が設けられた操作部材と、
前記複数の操作箇所にそれぞれ対応する複数の操作方向に傾動可能に前記操作部材が組み付けられ、かつ、前記操作部材が複数の異なる組付方向に組付け可能な操作部材ホルダとを有し、前記操作部材ホルダは、
前記操作部材が前記複数の異なる組付方向のうちの所定の傾動制限組付方向に組み付けられたときに、前記複数の操作方向のうちの所定の傾動制限操作方向への前記操作部材の傾動を制限することを特徴とする操作装置。
【発明の詳細な説明】
【０００１】
【発明の属する技術分野】
本発明は、操作方向に応じて異なる入力が可能な操作装置及び電子機器に関する。
【０００２】
【従来の技術】
従来から、操作方向に応じて異なる入力が可能な操作装置や電子機器が知られていた。このような電子機器の例として、特許文献１に記載のカメラを挙げることができる。この文献に記載されたカメラは、上下左右の４つの測距点から１つの測距点を選択するための測距点選択スイッチを有する。測距点選択スイッチの操作部材には、突起部で構成された操作箇所が設けられている。そして、操作部材を操作していずれかの操作箇所を押し下げることにより、押し下げた方向の測距点を選択することができる。
【０００３】
特許文献１に記載された測距点スイッチは４方向に入力可能な操作装置であるが、このほかにも様々なタイプの操作装置が存在する。例えば、自動車のＡＶ機器のフロントパネルに設けられる釦には４方向に操作可能な操作装置もあるが、２方向に操作可能な操作装置や３方向に操作可能な操作装置も存在する。
【０００４】
【特許文献１】
特開２００１−３０７６０１号公報（第２〜３頁、図１）
【０００５】
【発明が解決しようとする課題】
上記したような操作装置においては、操作方向が異なる場合でも操作部材の形状が類似することがあった。例えば、自動車に設けられるオーディオやエアコンに適用される操作装置では、デザインの統一化を図るため操作部材の形状が類似する場合があった。また、電子機器のバージョンアップなどに伴って機能追加を行う際には、新たな機能を実現するための操作箇所を追加した操作部材と従前の操作部材は形状が類似する場合がある。
【０００６】
しかし、操作部材の形状が類似していても操作方向の設定が異なれば、操作方向の違いに対応した異なる部品が操作装置に備えられる。例えば、４方向に操作可能な操作装置と３方向に操作可能な操作装置において同じ円形の操作部材が用いられるとしても、それぞれの製品には異なる部品が用いられていた。
【０００７】
本発明は上記の背景を考慮して、操作方向が異なる操作装置の部品を共通化することが可能な電子機器を提供することを目的とする。
【０００８】
【課題を解決するための手段】
本発明の電子機器は、複数の操作箇所が設けられた操作部材と、複数の操作箇所にそれぞれ対応する複数の操作方向に傾動可能に操作部材が組み付けられ、かつ、操作部材が複数の異なる組付方向に組付け可能な操作部材ホルダと、操作部材と操作部材ホルダとが複数の異なる組付方向のうちの所定の傾動制限組付方向に組み付けられたときに、複数の操作方向のうちの所定の傾動制限操作方向への操作部材の傾動を制限する傾動制限手段とを有する。
【０００９】
この構成により、複数の異なる組付方向のうち傾動制限組付方向に操作部材と操作ホルダが組み付けられたときに傾動制限操作方向への操作部材の傾動が制限される。また、傾動制限組付方向ではない組付方向に組み付けられたときには操作部材の傾動が制限されない。これにより、操作部材と操作ホルダの組付方向に応じて傾動制限操作方向への傾動を制限するか否かを選択することができる。従って、一組の操作部材及び操作部材ホルダから、傾動制限操作方向への操作部材の傾動を制限した電子機器と傾動制限操作方向への操作部材の傾動を制限しない電子機器の両方を実現することができる。
【００１０】
また、本発明の電子機器において、傾動制限手段は、操作部材と操作部材ホルダとが傾動制限組付方向と異なる傾動許容組付方向に組み付けられたときに傾動制限操作方向への操作部材の傾動を許容する構成とした。
【００１１】
この構成により、操作部材と操作部材ホルダとの組付方向を傾動制限組付方向とするか傾動許容組付方向とするかによって、操作部材の傾動を制限するか許容するかを選択可能である。また、傾動制限組付方向と傾動許容組付方向とを反対に設定すれば、操作部材と操作部材ホルダの組み付け時に傾動制限組付方向に組み付けるかその反対の傾動許容組付方向に組み付けるかを選択すればよいので、組付作業を容易に行うことができる。
【００１２】
また、本発明の電子機器において、操作部材は軸を有し、軸からずれた位置の操作箇所が操作されたときに軸回りの回動により傾動可能であり、かつ、軸上に配置された操作箇所が操作されたときに軸の角度変化により傾動可能であり、傾動制限手段は操作部材ホルダに設けられ、軸に当接して軸の角度変化による操作部材の傾動を制限する構成とした。
【００１３】
この構成により、操作部材の傾動方向を決める操作部材の軸に、操作部材ホルダに設けられた傾動制限手段が当接して操作部材の傾動を制限することができる。傾動制限手段は、例えば操作ホルダに形成された当接部により構成される。
【００１４】
また、本発明の電子機器において、操作部材は誤組防止のための非対称部分を有し、傾動制限手段は、操作部材と操作部材ホルダが傾動制限組付方向に組み付けられたときに非対称部分に当接して、操作部材の傾動制限操作方向への傾動を制限する当接部を有する構成とした。
【００１５】
この構成により、誤組防止のための非対称部分を有効に活用して、組み付けの向きに応じて傾動制限操作方向への操作部材の傾動を制限するか否かを選択可能である。
【００１６】
本発明に係る操作装置は、複数の操作箇所が設けられた操作部材と、複数の操作箇所にそれぞれ対応する複数の操作方向に傾動可能に操作部材が組み付けられ、かつ、操作部材が複数の異なる組付方向に組付け可能な操作部材ホルダとを有し、前記操作部材ホルダは、操作部材が複数の異なる組付方向のうちの所定の傾動制限組付方向に組み付けられたときに、複数の操作方向のうちの所定の傾動制限操作方向への操作部材の傾動を制限する構成とした。
【００１７】
この構成により、複数の異なる組付方向のうち傾動制限組付方向に操作部材と操作部材ホルダが組み付けられたときに傾動制限操作方向への操作部材の傾動が制限される。また、傾動制限組付方向ではない組付方向に組み付けられたときには操作部材の傾動が制限されない。これにより、操作部材と操作部材ホルダの組付方向に応じて傾動制限操作方向への傾動を制限するか否かを選択することができる。従って、一組の操作部材及び操作部材ホルダから、傾動制限操作方向への操作部材の傾動を制限した操作装置と傾動制限操作方向への操作部材の傾動を制限しない操作装置の両方を実現することができる。
【００１８】
【発明の実施の形態】
以下、本発明の実施の形態に係る電子機器及び操作装置について図面を参照しながら説明する。可能な場合には、同一の部分には同一の符号を付して重複する説明を省略する。
【００１９】
図１は、本発明の実施の形態に係る操作装置１を示す断面図である。操作装置１について説明する前に、図２を参照して本発明の実施の形態に係る操作装置１を含む電子機器について説明する。なお、本発明の実施の形態では、電子機器の例として、自動車の運転席と助手席との間に取り付けられるカーオーディオを取り上げる。
【００２０】
図２は、本発明の実施の形態に係る電子機器であるカーオーディオ５０を正面から見た図である。カーオーディオ５０は、ＣＤを挿入する挿入口５１、挿入口の開閉釦５２、演奏トラックを前後にスキップさせる釦５３，５７、演奏開始釦５４、演奏停止釦５５、一時停止釦５６を有する。これらの釦はエスカッション４０に設けられている。それぞれの釦が押されたときに実行されるオーディオ機能を実現する構成は図示しないが、カーオーディオ５０に内蔵されている。また、カーオーディオ５０には、操作部材１０が設けられている。操作部材１０の上下左右に設けられた操作箇所１４ａ〜１４ｄを押すことにより、例えば演奏のモードを切り替えることができる。この操作部材１０を有する操作装置１について、以下詳細に説明する。
【００２１】
図１を参照して本発明の実施の形態に係る操作装置１について説明する。以下の説明においては、図１において操作部材１０のある側を上方向、基板３０のある側を下方向とする。本発明の実施の形態に係る操作装置１は、操作箇所１４ａ〜１４ｄが設けられた操作部材１０と、操作部材１０が傾動可能に組み付けられた操作部材ホルダ２０と、操作部材ホルダ２０の下方に配置された基板３０と、操作部材１０及び操作部材ホルダ２０が組み付けられたエスカッション４０とを備える。
【００２２】
操作部材１０は、操作部材ホルダ２０の上に載せられている。操作部材１０と操作部材ホルダ２０とは、図１に示す向きに組み付けることが可能であると共に、図１に示す向きと反対に組み付けることも可能である。
【００２３】
操作部材１０は、その両側から互いに反対方向に突出する軸１３ａおよび軸１３ｂを有する。軸１３ａは、軸１３ｂより長い。操作部材１０は、軸１３ａ、１３ｂの角度変化による傾動と、軸１３ａ、１３ｂの回動による傾動が可能である。
【００２４】
操作部材ホルダ２０には、上方に向かって突出するストッパ２８が、軸１３ｂに対応する位置に設けられている。ストッパ２８が設けられた位置は、図１に示すように軸１３ｂに当接しない位置であると共に、操作部材１０と操作部材ホルダ２０とが図１に示す向きと反対に組み付けられた場合に、軸１３ｂより長い軸１３ａに当接する位置である。ストッパ２８は、操作部材１０と操作部材ホルダ２０とが図１に示す向きに組み付けられた場合には、操作部材１０の傾動を制限しないが、図１に示す向きと反対に組み付けられた場合に、軸１３ａに当接して操作部材１０の傾動を制限する役割を有する。
【００２５】
以下、操作装置１を構成するそれぞれの構成要素について詳しく説明する。
【００２６】
図３は、操作部材１０の外観を示す斜視図である。図１及び図３に示されるように、操作部材１０は、上面に操作箇所１４ａ〜１４ｄが設けられた円形のパネル１１を有し、その下に略円筒状の円筒部１２が連続した形状を有する。また、操作部材１０の下面には、スイッチを押すためのスイッチ押し部１５ａ〜１５ｄが設けられている（図１及び後述の図４参照）。それぞれのスイッチ押し部１５ａ〜１５ｄは、操作箇所１４ａ〜１４ｄに対応した位置に設けられている。例えば、図１に示されるように操作箇所１４ｂの下方にスイッチ押し部１５ｂが設けられている。これにより、操作箇所１４ｂが押されるとスイッチ押し部１５ｂが基板３０に向かって動き、ゴム接点３３ｂを押す。他の操作箇所１４ａ，１４ｃ，１４ｄ及びスイッチ押し部１５ａ，１５ｃ，１５ｄについても同様である。
【００２７】
図４は、図２に示すカーオーディオ５０のＩＶ−ＩＶ断面図である。図４に示されるようにエスカッション４０は湾曲しており、エスカッション４０に取り付けられる操作部材１０は基板３０に対して傾いている。これに伴い、それぞれのスイッチ押し部１５ａ〜１５ｄが基板３０の方向へ延びる長さは、そのスイッチ押し部が設けられた位置における操作部材１０の下面と基板３０との距離に応じて異なっている。例えば、スイッチ押し部１５ａが設けられた位置ではスイッチ押し部１５ｃが設けられた位置に比べて、操作部材１０の下面と基板３０とが離れているのに応じて、スイッチ押し部１５ａの方がスイッチ押し部１５ｃより長く延びている。これにより、操作箇所１５ａを押したときにスイッチがオンになるまでの操作部材１０の傾動角度と操作箇所１５ｃを押したときにスイッチがオンになるまでの操作部材１０の傾動角度が同じになるように調整される。
【００２８】
再び図１を参照すると、パネル１１の下側の中央に、下方に延びる支点１６が設けられている。この支点１６が操作部材ホルダ２０に当接することにより、操作部材１０は傾動可能となる。また、支点１６は、操作部材１０が全体的に押し込まれてゴム接点３３ａ〜３３ｄのいくつかが同時にオンになることを防止する役割も有する。
【００２９】
スイッチ押し部１５ｂ及びスイッチ押し部１５ｄの付近には、円筒部１２の半径方向外側に向かって延びる軸１３ａ、軸１３ｂが設けられている。軸１３ａ，１３ｂは、一の軸線に沿って延びている。また、軸１３ａの方が軸１３ｂより、円筒部１２から外側への突出量が大きい。以下、軸１３ａを長軸１３ａ、軸１３ｂを短軸１３ｂという。操作部材１０の組み付け時に、後述のガイド４３ａ，４３ｂによって軸１３ａ，１３ｂを案内することにより、操作部材１０の組み付けの向きを固定することができる。
【００３０】
なお、操作部材１０はプラスチック製であり、上記したパネル１１、円筒部１２、軸１３ａ，１３ｂ、支点１６などは一体成形されている。
【００３１】
図５（ａ）は操作部材ホルダ２０を示す平面図、図５（ｂ）は図５（ａ）に示す操作部材ホルダ２０のＢ−Ｂ断面図である。操作部材ホルダ２０は、ホルダ基部２１と、エスカッション４０に取り付けるための取付部２６とを有する。ホルダ基部２１は、略円形の平板２２とこの平板２２の中央に立設された柱２３とを有する。柱２３は、操作部材１０の支点１６との当接部分である。また、平板２２には柱２３を中心とする円筒状の壁２４ｂが立設され、さらに柱２３から半径方向に延びる４枚の壁２４ａが立設されている。この４枚の壁２４ａは、柱２３の周りに９０度ずつの間隔で配置されている。平板２２には、壁２４ａ，２４ｂによって仕切られた４つの領域のそれぞれに１つずつ孔２５が形成されている。このような構成により、操作部材ホルダ２０と操作部材１０との間の空間に孔２５を通じて光を入射可能であると共に、壁２４ａ，２４ｂによって他の空間への光の漏れを制限できる。従って、操作箇所１４ａ〜１４ｄのそれぞれにパネル１１の下面から個別に光を照射する構成を適切に実現できる。
【００３２】
取付部２６は、平板２２を取り囲む略リング形状の部材であり、平板２２と取付部２６とは４本の橋２７によって接続されている。平板２２、取付部２６および橋２７によって囲まれた領域に後述するゴム接点３３ａ〜３３ｄが入る。
【００３３】
また、取付部２６には、操作部材ホルダ２０をエスカッション４０に取り付けるための取付用孔２９ａ〜２９ｄが設けられている。エスカッション４０に設けられたボス部４４ａ〜４４ｄに取付用孔２９ａ〜２９ｄがネジで取り付けられる。
【００３４】
取付用孔２９ａと取付用孔２９ｃ、取付用孔２９ｂと取付用孔２９ｄはそれぞれ、柱２３を中心に点対称な位置に配置されている。これにより、柱２３を中心に操作部材ホルダ２０を１８０度回転させてエスカッション４０に取り付けることが可能である。操作部材ホルダ２０を１８０度回転させた状態でエスカッション４０に取り付けることにより、操作部材ホルダ２０と操作部材１０との組付方向は反対になる。柱２３を中心に回転するので、反対に組み付けたときにも操作部材１０の支点１６は柱２３に当接し、操作部材１０は操作部材ホルダ２０に傾動可能に組み付けられる。なお、操作部材１０は、軸１３ａ、１３ｂが図５（ａ）において横向きになるように組み付けられる。図１に示す向きに操作部材１０を組み付ける場合には、短軸１３ｂが図５（ａ）の右側を向けられ、長軸１３ａが図５（ａ）の左側を向けられる。
【００３５】
また、取付部２６は、操作部材１０の組付方向に応じて操作部材１０の傾動を制限するストッパ２８を備える。ストッパ２８は、組み付けられる操作部材１０の軸１３ａ、１３ｂに沿う線上に位置する。以下、ストッパ２８が設けられる位置について図６を参照しながら説明する。
【００３６】
図６は、ストッパ２８の位置と軸１３ａ、１３ｂの関係を示す図である。ストッパ２８が短軸１３ｂに近接する向きに操作部材ホルダ２０が組み付けられた場合（図１に示す組付方向）に、ストッパ２８は短軸１３ｂに当接しない。すなわち、ストッパ２８は短軸１３ｂの先端の位置Ｐ１より柱２３から離れた位置に設けられている。操作部材ホルダ２０の組付方向を反対にすると、ストッパ２８は長軸１３ａに近接する（図６に点線で示す）。このときに長軸１３ａに当接する位置に、ストッパ２８は設けられている。すなわち、ストッパ２８は、長軸１３ａの先端の位置Ｐ２より柱２３に近い位置に配置されている。以上より、ストッパ２８は、位置Ｐ１と位置Ｐ２との間に設けられている。
【００３７】
図７（ａ）は基板３０を示す平面図、図７（ｂ）は図７（ａ）に示す基板３０のＢ−Ｂ断面図である。基板３０は、図示しない回路が形成された回路基板３１を有し、その上面にゴムシート３２が載せられている。ゴムシート３２には、回路基板３１に押し付けられることによってスイッチをオンするゴム接点３３ａ〜３３ｄが設けられている。また、ゴムシート３２には、組み付けられる操作部材ホルダ２０の孔２５と一致する位置に孔３４が形成されている。この孔３４と操作部材ホルダ２０の孔２５は、回路基板３１上の図示しない発光素子からの光を操作部材１０側へ通過させる。
【００３８】
図８（ａ）はエスカッション４０の一部を基板３０等の取り付け側から見た図、図８（ｂ）は図８（ａ）に示すエスカッション４０のＢ−Ｂ断面図である。図８（ａ）に示されるように、エスカッション４０には、操作部材１０を挿入するための孔４２が形成され、その孔４２を挟んで軸１３ａ，１３ｂを案内するガイド４３ａ，４３ｂが設けられている。ガイド部４３ａ，４３ｂは、エスカッション４０から突出する２つの突起であり、突起の間に軸１３ａ，１３ｂを挟む。
【００３９】
また、それぞれのガイド４３ａ，４３ｂを挟んで、操作部材ホルダ２０を取り付けるためのボス部４４ａ〜４４ｄが形成されている。ボス部４４ａ〜４４ｄに、操作部材ホルダ２０の取付用孔２９ａ〜２９ｄをネジで取り付けることにより、操作部材ホルダ２０をエスカッション４０に組み付ける。
【００４０】
図９は、操作部材１０が組み付けられたエスカッション４０を正面から見た図である。図９に点線で示すように、軸１３ａ，１３ｂがガイド４３ａ，４３ｂによって案内されている。これにより、エスカッション４０に対して操作部材１０が回転して操作箇所１４ａ〜１４ｄの位置がずれることを防止できる。なお、操作部材１０は、ガイド４３ａに長軸１３ａが案内され、ガイド４３ｂに短軸１３ｂが案内される向きでエスカッション４０に組み付けられる。誤組防止機能は、図示しないエスカッション４０の突起により実現される。操作部材１０が誤って組み付けられると、長軸１３ａが突起に突き当たる。
【００４１】
次に、操作装置１の動作について説明する。４つの操作箇所１４ａ〜１４ｄのいずれかを押すと、操作部材１０は押された操作箇所が下がる向きに傾動する。ここで、操作部材１０が４方向に傾動するしくみについて説明する。図４に示すように、軸１３ａ，１３ｂは、軸１３ａ，１３ｂが延びる方向を中心に回動可能である。従って、操作箇所１４ａ又は操作箇所１４ｃを押すとその操作箇所が下がる方向に操作部材１０が傾動する。また、図４に示すように、ガイド４３ｂは軸１３ｂの側面を案内し、軸１３ｂの上下動を許容している。ガイド４３ａについても同様であるので、軸１３ａ、１３ｂは角度変化が可能である。従って、操作箇所１４ｂ又は操作箇所１４ｄを押すとその操作箇所が下がる方向に操作部材１０が傾動する（図１参照）。すなわち、操作部材１０は、４つの操作箇所のいずれかが押されると、それに対応した方向に傾動する。そして、操作部材１０が傾動すると、操作箇所１４ａ〜１４ｄに対応して設けられたスイッチ押し部１５ａ〜１５ｄがゴム接点３３ａ〜３３ｄを押して、基板３０に設けられたスイッチをオンにする。これにより、本発明の実施の形態に係る操作装置１は、操作部材１０の入力方向により４つのスイッチを選択的にオンする機能を実現している。ただし、４方向に傾動できるのは、操作部材１０と操作部材ホルダ２０が図１に示す向きに組み付けられた場合である。この点について図１０を参照しながら説明する。
【００４２】
図１０は、図１に示す操作装置１の動作を説明する図である。図１０では基板３０及びエスカッション４０を省略しているが、これらは図１に示す場合と同様に取り付けられる。操作部材１０と操作部材ホルダ２０が図１に示す向きに組み付けられた場合には、短軸１３ｂがストッパ２８に近接する。この場合、図１０に示すように、操作部材１０の短軸１３ｂはストッパ２８に当接しない。すなわち、スイッチ押し部１５ｄが基板（図示せず）に近づく方向への傾動が制限されない。これにより、操作部材１０は、操作箇所１４ｂが下がる方向および操作箇所１４ｄが下がる方向の両方に傾動可能である。また、操作箇所１４ａ，１４ｃが下がる方向の傾動を制限する手段は存在しない。従って、操作部材１０は、４方向に傾動可能となる。
【００４３】
さらに、本発明の実施の形態に係る操作装置１では、既に説明したように、操作部材ホルダ２０を図１に示す向きと反対にエスカッション４０に組み付けることが可能である。次に、操作部材ホルダ２０を反対に組み付けた操作装置１の動作について説明する。
【００４４】
図１１（ａ）は図１に示す場合と反対に組み付けた操作部材１０と操作部材ホルダ２０を示す平面図であり、図１１（ｂ）は図１１（ａ）に示す組み付けのＢ−Ｂ断面図である。図１１（ａ）及び図１１（ｂ）では基板３０及びエスカッション４０を省略しているが、これらは図１に示す場合と同様に取り付けられる。操作部材ホルダ２０を反対に組み付けると、ストッパ２８が図１１（ａ）及び図１１（ｂ）における左側に位置する。このとき図１１（ｂ）に見られるように、操作部材１０の長軸１３ａが操作部材ホルダ２０のストッパ２８に当接する。長軸１３ａがストッパ２８に当接することにより、スイッチ押し部１５ｂが下方の基板（図示せず）に近づく方向への傾動が制限される。つまり、図１１（ｂ）に示す向きに操作部材１０と操作部材ホルダ２０を組み付けることにより、スイッチ押し部１５ｂを無効にして３方向に入力可能な操作装置を実現することができる。以上、本発明の実施の形態に係る操作装置１の動作について操作部材ホルダ２０の組付方向と共に説明した。
【００４５】
本発明の実施の形態に係るカーオーディオ５０及び操作装置１によれば、操作部材１０と操作部材ホルダ２０の組み付けの向きに応じて３方向操作装置及び４方向操作装置の両方を実現可能である。すなわち、一組の操作部材１０及び操作部材ホルダ２０により、３方向操作装置と４方向操作装置を製造することができる。
【００４６】
また、本発明の実施の形態では、誤組防止のための軸１３ａ，１３ｂの非対称性を利用して操作部材１０の傾動を制限するか否かを選択可能な構成としたので、特別な構成を設ける必要がない。
【００４７】
以上、本発明の電子機器及び操作装置について実施の形態を挙げて説明したが、本発明は上記実施の形態に限定されるものではない。
【００４８】
上記実施の形態では、３方向に操作可能な操作装置と４方向に操作可能な操作装置において部品を共通化した例について説明したが、他の方向に操作可能な操作装置に適用することも可能である。例えば、１方向に操作可能な操作装置と２方向に操作可能な操作装置を共通の部品により製造可能とすることもできる。１つの構成例としては、上記実施の形態において、軸１３ａ，１３ｂを中心とする回動による傾動を制限し、操作箇所１４ａ，１４ｃを無効とした構成が考えられる。これにより、操作部材１０を１方向に傾動可能とするか、２方向に傾動可能とするかを選択することができる。もちろん、これ以外の構成により、組付方向に応じて傾動方向を選択可能とすることもできる。
【００４９】
上記操作装置１では、パネル１１の形状が円形であるものについて説明したが、操作部材は組み付けの向きを変えることができる形状であればよく、例えば、長方形やひし形でもよい。
【００５０】
また、上記操作装置１では、軸１３ａ，１３ｂの非対称性を利用し、組み付けの向きに応じてストッパ２８を機能させるか否かの切り替えを行ったが、他の部分の非対称性を利用して制限手段を実現してもよい。
【００５１】
また、上記実施の形態では、操作部材１０の傾動を制限するためのストッパ２８を操作部材ホルダ２０に設けているが、操作部材ホルダ２０以外にストッパ２８を設けることも可能である。例えば、操作部材にストッパを設け、組付方向に応じて操作部材ホルダの非対称部分に当接する構成とすることも可能である。また、操作部材および操作部材ホルダとは独立した箇所に傾動制限手段を設けることもできる。
【００５２】
【発明の効果】
以上説明したように、本発明に係る電子機器は、組付方向に応じて傾動制限操作方向への傾動を制限するか否か選択することができるので、一組の操作部材及び操作部材ホルダから、傾動制限操作方向への傾動を制限した操作部材を有する電子機器と傾動制限方向への傾動を制限しない操作部材を有する電子機器の両方を実現することができるというすぐれた効果を有するものである。
【図面の簡単な説明】
【図１】本発明の実施の形態に係る操作装置を示す図
【図２】本発明の実施の形態に係るカーオーディオを示す図
【図３】操作部材を示す斜視図
【図４】本発明の実施の形態に係るカーオーディオの一部断面図
【図５】（ａ）操作部材ホルダを示す平面図
（ｂ）操作部材ホルダを示す断面図
【図６】ストッパの位置と軸との関係を示す図
【図７】（ａ）基板を示す平面図
（ｂ）基板を示す断面図
【図８】（ａ）エスカッションを示す平面図
（ｂ）エスカッションを示す断面図
【図９】エスカッションの平面図
【図１０】本発明の実施の形態に係る操作装置の動作を説明する図
【図１１】（ａ）組み付けの向きを変えた操作部材及び操作部材ホルダを示す平面図
（ｂ）組み付けの向きを変えた操作部材及び操作部材ホルダを示す断面図
【符号の説明】
１  操作装置
１０  操作部材
１３ａ，１３ｂ  軸
１４ａ〜１４ｄ  操作箇所
１５ａ〜１５ｄ  スイッチ押し部
２０  操作部材ホルダ
２８  ストッパ
３０  基板
３１  回路基板
３２  ゴムシート
３３ａ〜３３ｄ  ゴム接点
４０  エスカッション
４３ａ，４３ｂ  ガイド
５０  カーオーディオ
【図１】
2005011678.tif 000003
【図２】
2005011678.tif 000004
【図３】
2005011678.tif 000005
【図４】
2005011678.tif 000006
【図５】
2005011678.tif 000007
【図６】
2005011678.tif 000008
【図７】
2005011678.tif 000009
【図８】
2005011678.tif 000010
【図９】
2005011678.tif 000011
【図１０】
2005011678.tif 000012
【図１１】
2005011678.tif 000013